(57)【要約】【課題】起床時における二酸化炭素濃度を低減することができる通風制御装置を提供する。【解決手段】通風制御装置１は、温度情報取得部１１、温度調整部１２、時刻情報取得部１３、記憶部１４、時間演算部１５を備える。温度情報取得部１１は、屋内気温Ｃ１、外気温Ｃ２の情報を取得する。温度調整部１２は、屋内気温Ｃ１を目標温度範囲Ｃ１０内に調整する。時刻情報取得部１３は、起床予定時刻の情報を取得する。記憶部１４は、温度変化情報を記憶する。時間演算部１５は、通気時間、通気開始時刻を求める。そして、温度調整部１２は、通気開始時刻における屋内温度が第１目標温度となるように屋内気温Ｃ１を調整し、通気開始時刻になると、空調機器３を停止し通気部材２を通気状態に制御する。【選択図】図１
2016070521.tif 000002
【特許請求の範囲】
【請求項１】
屋内温度の情報、および屋外温度の情報を取得する温度情報取得部と、
屋内と屋外との間において通気状態と通気停止状態とを切り替える通気部材、および屋内の温熱環境を調整する空調機器を制御することで、前記屋内温度を目標温度範囲内に調整する温度調整部と、
屋内で起床する人の起床予定時刻の情報を取得する時刻情報取得部と、
前記屋内温度と前記屋外温度との温度差に対応付けて設定された通気時における前記屋内温度の時間変化の情報である温度変化情報を記憶する記憶部と、
前記記憶部に記憶された前記温度変化情報に基づき、前記屋内温度が、前記目標温度範囲内に設定された第１目標温度から、前記目標温度範囲内に設定された第２目標温度まで変化するのに要する通気時間を求め、前記起床予定時刻から前記通気時間を減算した通気開始時刻を求める時間演算部とを備え、
前記温度調整部は、前記通気開始時刻における前記屋内温度が前記第１目標温度となるように、前記通気開始時刻までは前記通気部材および前記空調機器を制御し、前記通気開始時刻になると、前記空調機器を停止し前記通気部材を通気状態に制御する
ことを特徴とする通風制御装置。
【請求項２】
前記温度情報取得部が取得した前記屋内温度と前記屋外温度との温度差に対応する前記温度変化情報が示す前記屋内温度の時間変化が、正である場合に第１季節、負である場合に第２季節と判断する季節判断部を備え、
前記温度調整部は、
前記季節判断部が前記第１季節と判断した場合、前記空調機器を制御して前記通気開始時刻における前記屋内温度を前記第１目標温度に調整し、
前記季節判断部が前記第２季節と判断した場合、前記空調機器を停止し、前記通気部材の通気状態と通気停止状態とを交互に切り替えることで、前記通気開始時刻における前記屋内温度を前記第１目標温度に調整する
ことを特徴とする請求項１記載の通風制御装置。
【請求項３】
前記第１目標温度および前記第２目標温度を設定する目標温度設定部を備え、
前記目標温度設定部は、
前記季節判断部が前記第１季節と判断した場合、前記第１目標温度を前記目標温度範囲の下限値に設定し、前記第２目標温度を前記目標温度範囲の上限値に設定し、
前記季節判断部が前記第２季節と判断した場合、前記第１目標温度を前記目標温度範囲の上限値に設定し、前記第２目標温度を前記目標温度範囲の下限値に設定する
ことを特徴とする請求項２記載の通風制御装置。
【請求項４】
前記請求項１〜３のうちいずれか１項に記載の通風制御装置と、
前記通気部材と、
前記空調機器と、
前記屋内温度を計測する第１計測部と、
前記屋外温度を計測する第２計測部とを備える
ことを特徴とする通風制御システム。
【請求項５】
コンピュータを、請求項１〜３のうちいずれか１項に記載の通風制御装置として機能させる
ことを特徴とするプログラム。
【発明の詳細な説明】
【技術分野】
【０００１】
本発明は、屋内の通風を制御する通風制御装置、通風制御システム、プログラムに関する。
【背景技術】
【０００２】
従来、空調機器と換気装置とを用いて空気調和を行う技術が開示されている（例えば、特許文献１参照）。従来技術では、空調機器と換気装置の運転状態を切り替えることで、屋内環境が快適となるように制御している。
【先行技術文献】
【特許文献】
【０００３】
【特許文献１】特開２００１−２６３７５７号公報
【発明の概要】
【発明が解決しようとする課題】
【０００４】
従来技術では、空調機器と換気装置との一方のみを稼働させるので、就寝時に利用した場合に、起床時に空調機器が稼働し換気が行われていない状態となるおそれがあった。このような場合、就寝時に発生した二酸化炭素によって起床時における二酸化炭素濃度が高くなり、ユーザが不快と感じるおそれがあった。
【０００５】
本発明は、上記事由に鑑みてなされており、その目的は、起床時における二酸化炭素濃度を低減することができる通風制御装置、通風制御システム、プログラムを提供することにある。
【課題を解決するための手段】
【０００６】
本発明の通風制御装置は、屋内温度の情報、および屋外温度の情報を取得する温度情報取得部と、屋内と屋外との間において通気状態と通気停止状態とを切り替える通気部材、および屋内の温熱環境を調整する空調機器を制御することで、前記屋内温度を目標温度範囲内に調整する温度調整部と、屋内で起床する人の起床予定時刻の情報を取得する時刻情報取得部と、前記屋内温度と前記屋外温度との温度差に対応付けて設定された通気時における前記屋内温度の時間変化の情報である温度変化情報を記憶する記憶部と、前記記憶部に記憶された前記温度変化情報に基づき、前記屋内温度が、前記目標温度範囲内に設定された第１目標温度から、前記目標温度範囲内に設定された第２目標温度まで変化するのに要する通気時間を求め、前記起床予定時刻から前記通気時間を減算した通気開始時刻を求める時間演算部とを備え、前記温度調整部は、前記通気開始時刻における前記屋内温度が前記第１目標温度となるように、前記通気開始時刻までは前記通気部材および前記空調機器を制御し、前記通気開始時刻になると、前記空調機器を停止し前記通気部材を通気状態に制御することを特徴とする。
【０００７】
本発明の通風制御システムは、上記通風制御装置と、前記通気部材と、前記空調機器と、前記屋内温度を計測する第１計測部と、前記屋外温度を計測する第２計測部とを備えることを特徴とする。
【０００８】
本発明のプログラムは、コンピュータを上記通風制御装置として機能させることを特徴とする。
【発明の効果】
【０００９】
本発明では、起床時における二酸化炭素濃度を低減することができるという効果がある。
【図面の簡単な説明】
【００１０】
【図１】実施形態の概略構成図である。
【図２】実施形態における屋内気温の変化を示すグラフである。
【図３】実施形態における屋内気温の変化を示すグラフである。
【図４】実施形態におけるＨＥＭＳコントローラのブロック構成図である。
【発明を実施するための形態】
【００１１】
以下、本発明の実施の形態を図面に基づいて説明する。
（実施形態）
本実施形態の概略構成を図１に示す。本実施形態は、戸建住宅５に設けられ、窓２１、通風口２２、換気扇２３などの通気部材２、および空調機器３を制御することで、屋内環境が快適となるように制御する通風制御装置１である。本実施形態の通風制御装置１は、気温が比較的高い夏季の就寝時に使用されることを想定しており、起床前に換気を行うことで起床時における二酸化炭素濃度の低減を図る。なお、以下の説明では、通風制御装置１が戸建住宅５に設けられる場合を例として説明するが、通風制御装置１の設置場所は戸建住宅５に限定せず、例えば集合住宅、店舗、事務所、工場などに設けられていてもよい。
【００１２】
本実施形態の通風制御装置１は、プログラムを実行することによって以下の機能を実現するコンピュータを主なハードウェア構成として備える。この種のコンピュータは、通風制御専用のコンピュータ、汎用のパーソナルコンピュータなどの設置型の端末装置の他、スマートフォン、タブレット端末などの可搬型の端末装置から選択されてもよい。また、コンピュータは、マイコン（microcontroller）のようにプロセッサとメモリとを一体に備える構成であってもよい。また、プログラムは、ＲＯＭ（Read Only Memory）にあらかじめ書き込まれる他、インターネットのような電気通信回線を通して提供されるようにしてもよい。また、コンピュータで読み取り可能な記録媒体によりプログラムが提供されてもよい。
【００１３】
以下に、本実施形態の通風制御装置１の構成について図１を用いて説明する。
【００１４】
本実施形態の通風制御装置１は、温度情報取得部１１、温度調整部１２、時刻情報取得部１３、記憶部１４、時間演算部１５、季節判断部１６、および目標温度設定部１７を備える。また、本実施形態では、通風制御装置１、通気部材２、空調機器３、第１計測部４１、および第２計測部４２で、通風制御システム１０を構成している。
【００１５】
温度情報取得部１１は、例えばサーミスタを用いて温度を計測する温度センサで構成された第１計測部４１、および第２計測部４２と通信可能に構成されている。そして、温度情報取得部１１は、第１計測部４１、および第２計測部４２それぞれから温度計測結果を取得する。
【００１６】
第１計測部４１は、屋内５１（例えば居室内）に設けられており、屋内温度として屋内５１の気温（以降、屋内気温Ｃ１という）を計測する。そして、第１計測部４１は、温度計測結果（屋内気温Ｃ１）を所定の時間間隔で温度情報取得部１１に送信する。
【００１７】
第２計測部４２は、屋外５２に設けられており、屋外温度として屋外５２の気温（以降、外気温Ｃ２という）を計測する。そして、第２計測部４２は、温度計測結果（外気温Ｃ２）を所定の時間間隔で温度情報取得部１１に送信する。
【００１８】
温度調整部１２は、屋内５１と屋外５２との間を通気状態と通気停止状態とに切り替える通気部材２と、屋内５１の温熱環境を調整する空調機器３とを制御することで、屋内気温Ｃ１をユーザが快適と感じる予め設定された目標温度範囲Ｃ１０内に調整する。以降、目標温度範囲Ｃ１０の上限値を目標上限温度Ｃ１１、目標温度範囲Ｃ１０の下限値を目標下限温度Ｃ１２という。
【００１９】
通気部材２は、窓２１、開閉可能な通風口２２、換気扇２３などで構成されており、温度調整部１２に制御されることで、屋内５１と屋外５２との間を通気状態と通気停止状態とに切り替える。窓２１には、窓２１を開閉駆動する駆動部２１１が設けられており、駆動部２１１は、温度調整部１２からの制御信号に基づいて窓２１を開閉する。また、通風口２２には、通風口２２を開閉駆動する駆動部２２１が設けられており、駆動部２１１は、温度調整部１２からの制御信号に基づいて通風口２２を開閉する。そして、窓２１および通風口２２は、開状態となることで通気状態となり、閉状態となることで通気停止状態となる。また、換気扇２３は、温度調整部１２からの制御信号に基づいて稼働することで通気状態となり、停止することで通気停止状態となる。なお、本実施形態では、通気部材２として窓２１、通風口２２、換気扇２３が設けられているが、少なくともいずれか１つを備えた構成であればよい。また、窓２１、通風口２２、換気扇２３を区別しない場合、通気部材２という。
【００２０】
空調機器３は、屋内５１の温熱環境を調整するエアコンで構成されている。そして、空調機器３は、温度調整部１２からの制御信号に基づいて稼働、停止する。
【００２１】
また、温度調整部１２は、通気部材２、空調機器３を制御する動作モードとして通気モード、停止モード、空調モードを備えている。温度調整部１２は、動作モードが通気モードである場合、通気部材２を通気状態とし、空調機器３を停止させる。温度調整部１２は、動作モードが停止モードである場合、通気部材２を通気停止状態とし、空調機器３を停止させる。温度調整部１２は、動作モードが空調モードである場合、通気部材２を通気停止状態とし、空調機器３を稼働させる。温度調整部１２は、動作モードを通気モード、停止モード、空調モードの中からいずれか１つを選択して実行することで、屋内気温Ｃ１を目標温度範囲Ｃ１０内に調整する。
【００２２】
時刻情報取得部１３は、屋内５１で起床するユーザの起床予定時刻の情報を取得する。具体的には、時刻情報取得部１３は、ユーザが通風制御装置１に設けられた入力部（図示なし）、またはリモコン、スマートフォン、タブレットなどを用いて予め入力した起床予定時刻の情報を取得する。また、時刻情報取得部１３は、目覚まし時計、またはスマートフォンなどの目覚まし機能に設定されたアラーム時刻を起床予定時刻として取得するように構成されていてもよい。
【００２３】
記憶部１４は、屋内気温Ｃ１と外気温Ｃ２との温度差（以降、内外温度差Ｃ３という）に対応付けて設定された通気時における屋内気温Ｃ１の時間変化の情報である温度変化情報を記憶している。すなわち、温度変化情報は、温度調整部１２の動作モードが通気モードである場合における屋内気温Ｃ１の時間変化を予測したデータであり、内外温度差Ｃ３（屋内気温Ｃ１−外気温Ｃ２）の値に対応付けられている。この温度変化情報は、屋内５１における人・電気機器などの構成、戸建住宅５の断熱・気密性能、季節などの温熱環境に基づいて予め設定されている。
【００２４】
季節判断部１６は、内外温度差Ｃ３に基づいて、現在の季節を判断する。具体的には、季節判断部１６は、記憶部１４を参照して、温度情報取得部１１が取得した屋内気温Ｃ１と外気温Ｃ２とのデータから求められる内外温度差Ｃ３に対応する温度変化情報を取得する。そして、季節判断部１６は、記憶部１４から取得した温度変化情報が示す屋内気温Ｃ１の時間変化の傾きに基づいて、現在の季節を判断する。季節判断部１６は、温度変化情報が示す屋内気温Ｃ１の時間変化が正（屋内気温Ｃ１が時間経過とともに上昇）である場合、通気時に屋内気温Ｃ１が上昇する第１季節（例えば盛夏（真夏）などの比較的暑い季節）であると判断する。また、季節判断部１６は、温度変化情報が示す屋内気温Ｃ１の時間変化が負（屋内気温Ｃ１が時間経過とともに低下）である場合、通気時に屋内気温Ｃ１が低下する第２季節（例えば初夏、晩夏などの比較的涼しい季節）であると判断する。
【００２５】
目標温度設定部１７は、目標温度範囲Ｃ１０内において互いに異なる２つの目標温度（第１目標温度、第２目標温度）を設定する。第１目標温度は、起床直前に行われる通気モードの開始時における屋内気温Ｃ１の目標温度に相当する。第２目標温度は、起床時における屋内気温Ｃ１の目標温度に相当する。目標温度設定部１７は、季節判断部１６が判断した季節が第１季節である場合、目標温度範囲Ｃ１０内において第１目標温度を第２目標温度よりも低い値に設定する。また、目標温度設定部１７は、季節判断部１６が判断した季節が第２季節である場合、目標温度範囲Ｃ１０内において第１目標温度を第２目標温度よりも高い値に設定する。
【００２６】
時間演算部１５は、屋内気温Ｃ１が第１目標温度から第２目標温度まで変化するのに要する時間（以降、通気時間という）、および起床予定時刻から通気時間を減算した通気開始時刻を求める。具体的には、時間演算部１５は、外気温Ｃ２の過去の変化履歴、外部から取得する気象予測データなどに基づいて予測される外気温Ｃ２の変化情報を取得する。また、通気時間には、設定可能な上限値および下限値、すなわち設定可能な時間範囲が予め決められている。そして、時間演算部１５は、通気時間の設定可能な時間範囲（起床予定時刻から通気時間の上限値を減算した時刻から、起床予定時刻から通気時間の下限値を減算した時刻までの時間範囲）における、外気温Ｃ２の予測値の平均を求める。次に、時間演算部１５は、第１目標温度の値と等しい屋内気温Ｃ１と、求めた外気温Ｃ２の平均予測値とから求められる内外温度差Ｃ３に対応する温度変化情報を記憶部１４から取得する。そして、時間演算部１５は、取得した温度変化情報に基づいて、目標温度設定部１７が設定した第１目標温度から第２目標温度まで屋内気温Ｃ１が変化するのに要する時間（通気時間）を求める。さらに、時間演算部１５は、求めた通気時間を、時刻情報取得部１３が取得した起床予定時刻から減算することで、起床直前に行う通気モードの実行開始時刻である通気開始時刻（起床予定時刻−通気時間）を求める。なお、時間演算部１５は、通気時間、通気開始時刻を求める上記演算を、通風制御の開始時に行う。
【００２７】
また、外気温Ｃ２の平均予測を求める時間範囲は、通気時間の設定可能な時間範囲に限定せず、起床予定時刻から所定時間前の時間範囲であってもよい。例えば、過去の通気時間の履歴に基づいた通気時間の予測範囲を、外気温Ｃ２の平均予測を求める時間範囲としてもよい。
【００２８】
また、時間演算部１５が求めた通気時間が、通気時間の設定可能な時間範囲から外れている場合、目標温度設定部１７は、第１目標温度と第２目標温度との温度幅を増減させ、時間演算部１５は、通気時間、通気開始時刻を再演算する。例えば、時間演算部１５が求めた通気時間が、通気時間の設定可能な下限値よりも短い場合、目標温度設定部１７は、第１目標温度と第２目標温度との温度幅を増加させる。
【００２９】
そして、温度調整部１２は、通気開始時刻における屋内気温Ｃ１が第１目標温度となるように屋内気温Ｃ１を調整し、通気開始時刻になると通気モードの実行を開始する。
【００３０】
より具体的には、温度調整部１２は、季節判断部１６が第１季節と判断した場合、通気開始時刻までは通気モードと空調モードとを交互に切り替えて屋内温度を目標温度範囲Ｃ１０内に調整する。さらに、温度調整部１２は、通気開始時刻における屋内気温Ｃ１が第１目標温度となるように、通気開始時刻までに空調機器３の設定温度を第１目標温度に設定し、空調モードを実行した状態で通気開始時刻を迎える。そして、温度調整部１２は、通気開始時刻になると、動作モードを空調モードから通気モードに切り替える。
【００３１】
また、温度調整部１２は、季節判断部１６が第２季節と判断した場合、通気開始時刻までは通気モードと停止モードとを交互に切り替えて屋内温度を目標温度範囲Ｃ１０内に調整する。さらに、温度調整部１２は、停止モードを実行した状態で通気開始時刻を迎え、且つ通気開始時刻に屋内気温Ｃ１が第１目標温度となるように、通気モード、停止モードの時間を調整する。なお、記憶部１４には、屋内気温Ｃ１に対応付けて設定された停止モード時における屋内気温Ｃ１の時間変化の情報が記憶されている。そして、温度調整部１２は、通気モード時、および停止モード時における屋内気温Ｃ１の時間変化の情報、屋内気温Ｃ１と第１目標温度との温度差などに基づいて、通気モード、および停止モードの時間を調整する。このように通気モード、および停止モードの時間が調整されることで、停止モードを実行した状態で通気開始時刻を迎え、且つ通気開始時刻における屋内気温Ｃ１が第１目標温度になるように調整される。そして、温度調整部１２は、通気開始時刻になると、動作モードを停止モードから通気モードに切り替える。
【００３２】
次に、図２、図３に示す屋内気温Ｃ１のグラフを用いて、本実施形態の通風制御装置１の動作の一例を説明する。図２は、季節が第１季節である場合における通風制御装置１の動作の一例であり、図３は、季節が第２季節である場合における通風制御装置１の動作の一例である。
【００３３】
まず、図２を用いて、季節が第１季節である場合における通風制御装置１の動作について説明する。ここでは、目標温度設定部１７は、第１目標温度を目標下限温度Ｃ１２よりも高い値Ｃｘ１、第２目標温度を目標上限温度Ｃ１１よりも低い値Ｃｘ２（＞値Ｃｘ１）に設定しているとする。また、時刻情報取得部１３が取得した起床予定時刻が時間ｔ６であるとする。
【００３４】
時間ｔ１において、時間演算部１５は、通気時間、通気開始時刻を求める。なお、時間演算部１５が求めた通気時間がＴ１、通気開始時刻が時間ｔ５（＝時間ｔ６−通気時間Ｔ１）であるとする。また、屋内気温Ｃ１は、目標上限温度Ｃ１１未満、目標下限温度Ｃ１２以上であり、温度調整部１２が通気モードを実行中であるため、屋内気温Ｃ１が時間経過とともに上昇する。
【００３５】
時間ｔ２において、屋内気温Ｃ１が目標上限温度Ｃ１１となり、温度調整部１２は、動作モードを通気モードから空調モードに切り替える。これにより、空調機器３が冷房運転で稼働し、屋内気温Ｃ１が低下し始める。ここで、本実施形態では、温度調整部１２は、空調機器３の設定温度を第１目標温度Ｃｘ１よりも高い値Ｃｘ３に設定しており、時間ｔ３において屋内気温Ｃ１が値Ｃｘ３となる。この値Ｃｘ３は、ユーザが快適と感じる目標温度範囲Ｃ１０における中心温度であり、屋内気温Ｃ１が値Ｃｘ３に維持されることによって、ユーザがより快適に就寝することができる。
【００３６】
時間ｔ４において、温度調整部１２は、通気開始時刻である時間ｔ５（＞時間ｔ４）に屋内気温Ｃ１が第１目標温度Ｃｘ１となるように、空調機器３の設定温度を値Ｃｘ３から第１目標温度Ｃｘ１に変更する。これにより、屋内気温Ｃ１が第１目標温度Ｃｘ１まで低下する。
【００３７】
通気開始時刻である時間ｔ５において、温度調整部１２は、動作モードを空調モードから通気モードに切り替える。これにより、屋内５１と屋外５２との間で換気が行われ、屋内気温Ｃ１が上昇し始める。
【００３８】
そして、通気開始時刻（時間ｔ５）から通気時間Ｔ１が経過した起床予定時刻である時間ｔ６において、屋内気温Ｃ１が第２目標温度Ｃｘ２となる。すなわち、通気時間Ｔ１中に、屋内気温Ｃ１が第１目標温度Ｃｘ１から第２目標温度Ｃｘ２まで変化する。
【００３９】
なお、上記動作の一例では、通気開始時刻（時間ｔ５）までに、通気モード、空調モードがそれぞれ１回ずつ行われているが、この回数に限定しない。温度調整部１２は、通気開始時刻までに通気モード、空調モードの少なくとも一方を２回以上行って屋内温度を目標温度範囲Ｃ１０内に調整するように構成されていてもよい。
【００４０】
また、空調モード実行中の時間ｔ２〜時間ｔ４の間において、空調機器３の設定温度が第１目標温度Ｃｘ１よりも高い値Ｃｘ３に設定されているが、空調モード時における空調機器３の設定温度は常に第１目標温度Ｃｘ１に設定されていてもよい。
【００４１】
次に、図３を用いて、季節が第２季節である場合における通風制御装置１の動作について説明する。ここでは、目標温度設定部１７は、第１目標温度を目標上限温度Ｃ１１と一致した値Ｃｘ１１、第２目標温度を目標下限温度Ｃ１２よりも高い値Ｃｘ１２（＜値Ｃｘ１１）に設定しているとする。また、時刻情報取得部１３が取得した起床予定時刻が時間ｔ１４であるとする。
【００４２】
時間ｔ１１において、時間演算部１５は、通気時間、通気開始時刻を求める。なお、時間演算部１５が求めた通気時間がＴ１１、通気開始時刻が時間ｔ１３（＝時間ｔ１４−通気時間Ｔ１１）であるとする。また、屋内気温Ｃ１は、目標上限温度Ｃ１１未満、目標下限温度Ｃ１２以上であり、温度調整部１２が通気モードを実行中であるため、屋内気温Ｃ１が時間経過とともに低下する。
【００４３】
そして、温度調整部１２は、通気開始時刻である時間ｔ１３を停止モードで迎え、且つ通気開始時刻（時間ｔ１３）における屋内気温Ｃ１が第１目標温度Ｃｘ１１となるように、通気モード、停止モードの時間を調整する。本実施形態では、温度調整部１２は、屋内気温Ｃ１が目標下限温度Ｃ１２よりも高い値Ｃｘ１３である時間ｔ１２において、動作モードを通気モードから停止モードに切り替える。このとき、屋内５１の人・電気機器などの発熱によって屋内気温Ｃ１が上昇する。そして、通気開始時刻である時間ｔ１３において、屋内気温Ｃ１が第１目標温度Ｃｘ１１となり、温度調整部１２は、動作モードを停止モードから通気モードに切り替える。これにより、屋内５１と屋外５２との間で換気が行われ、屋内気温Ｃ１が低下し始める。
【００４４】
そして、通気開始時刻（時間ｔ１３）から通気時間Ｔ１１が経過した起床予定時刻である時間ｔ１４において、屋内気温Ｃ１が第２目標温度Ｃｘ１２となる。すなわち、通気時間Ｔ１１中に、屋内気温Ｃ１が第１目標温度Ｃｘ１１から第２目標温度Ｃｘ１２まで変化する。
【００４５】
なお、上記動作の一例では、通気開始時刻（時間ｔ１３）までに、通気モード、停止モードを１回ずつ行われているが、この回数に限定しない。温度調整部１２は、通気開始時刻までに通気モード、停止モードの少なくとも一方を２回以上行って屋内温度を目標温度範囲Ｃ１０内に調整するように構成されていてもよい。
【００４６】
このように、本実施形態の通風制御装置１は、起床直前に行う通気モードの実行開始時刻（通気開始時刻）において、屋内気温Ｃ１が第１目標温度となるように温度調整する。そして、通気開始時刻に実行する通気モードによって、起床予定時刻までに屋内５１と屋外５２との間で換気が行われ、屋内気温Ｃ１が目標温度範囲Ｃ１０内の第１目標温度から第２目標温度まで変化する。すなわち、本実施形態では、屋内気温Ｃ１を目標温度範囲Ｃ１０内に調整し、且つ通気モードを実行した状態で起床予定時刻を迎える。したがって、起床前に屋内５１の空気が換気され、就寝時に排出された二酸化炭素が屋外５２に排出される。これにより、起床時において、屋内気温Ｃ１が目標温度範囲Ｃ１０内に調整されており、さらに換気によって二酸化炭素濃度が低減されているので、起床時におけるユーザの快適性を向上させることができる。
【００４７】
なお、上述した通風制御の機能は、専用の装置（通風制御装置１）とは異なる装置が備えていてもよい。専用の装置（通風制御装置１）とは異なる装置の一例として、例えば防犯や防災のために家庭内に設置された機器に、本来の防犯や防災の機能に加えて上述した通風制御の機能を実装してもよい。このような機器の例としては、インターホンなどが挙げられ、リビングの壁に固定された位置固定型、携帯携行無線型、可搬型などいずれであってもよい。また、家庭内の無線通信をサポートするWiFi（登録商標）などに代表される無線通信中継機器（例えば無線ルータ、無線ゲートウェイなど）に、上述した通風制御の機能をアドオン実装してもよい。また、例えば図４に示すようにＨＥＭＳ（Home Energy Management System）に用いられるＨＥＭＳコントローラ１００が備えていてもよい。このＨＥＭＳコントローラ１００は、電力情報取得部１８に加えて、上述した温度情報取得部１１、温度調整部１２、時刻情報取得部１３、記憶部１４、時間演算部１５、季節判断部１６、および目標温度設定部１７を備えている。電力情報取得部１８は、例えば分岐回路毎の消費電力を計測する電力計測部１０１と通信可能に構成されており、例えば電気負荷の消費電力を電力に関する情報として取得し、モニター１０２に表示する。
【００４８】
上述したように、本実施形態の通風制御装置１は、温度情報取得部１１、温度調整部１２、時刻情報取得部１３、記憶部１４、時間演算部１５を備える。
【００４９】
温度情報取得部１１は、屋内温度（屋内気温Ｃ１）の情報、および屋外温度（外気温Ｃ２）の情報を取得する。温度調整部１２は、屋内５１と屋外５２との間において通気状態と通気停止状態とを切り替える通気部材２、および屋内５１の温熱環境を調整する空調機器３を制御することで、屋内気温Ｃ１を目標温度範囲Ｃ１０内に調整する。時刻情報取得部１３は、屋内５１で起床する人の起床予定時刻の情報を取得する。記憶部１４は、屋内気温Ｃ１と外気温Ｃ２との温度差（内外温度差Ｃ３）に対応付けて設定された通気時における屋内気温Ｃ１の時間変化の情報である温度変化情報を記憶する。時間演算部１５は、記憶部１４に記憶された温度変化情報に基づき、屋内気温Ｃ１が、目標温度範囲Ｃ１０内に設定された第１目標温度から、目標温度範囲Ｃ１０内に設定された第２目標温度まで変化するのに要する通気時間を求める。そして、時間演算部１５は、起床予定時刻から通気時間を減算した通気開始時刻を求める。
【００５０】
そして、温度調整部１２は、通気開始時刻における屋内温度が第１目標温度となるように、通気開始時刻までは通気部材２および空調機器３を制御し、通気開始時刻になると、空調機器３を停止し通気部材２を通気状態に制御する。
【００５１】
また、本実施形態の通風制御システム１０は、上記通風制御装置１と、通気部材２と、空調機器３と、屋内温度（屋内気温Ｃ１）を計測する第１計測部４１と、屋外温度（外気温Ｃ２）を計測する第２計測部４２とを備える。
【００５２】
また、本実施形態のプログラムは、コンピュータを上記通風制御装置１として機能させる。
【００５３】
このように、本実施形態の通風制御装置１、通風制御システム１０、およびプログラムは、屋内気温Ｃ１を目標温度範囲Ｃ１０内に調整し、且つ通気モードを実行した状態で起床予定時刻を迎える。したがって、起床前に屋内５１の空気が換気され、就寝時に排出された二酸化炭素が屋外５２に排出される。これにより、起床時において、屋内気温Ｃ１が目標温度範囲Ｃ１０内に調整されており、さらに換気によって二酸化炭素濃度が低減されているので、起床時におけるユーザの快適性を向上させることができる。
【００５４】
また、本実施形態の通風制御装置１は、季節判断部１６を備える。季節判断部１６は、温度情報取得部１１が取得した屋内気温Ｃ１と外気温Ｃ２との温度差（内外温度差Ｃ３）に対応する温度変化情報が示す屋内気温Ｃ１の時間変化が、正である場合に第１季節、負である場合に第２季節と判断する。そして、温度調整部１２は、季節判断部１６が第１季節と判断した場合、空調機器３を制御して通気開始時刻における屋内気温Ｃ１を第１目標温度に調整する。また、温度調整部１２は、季節判断部１６が第２季節と判断した場合、空調機器３を停止し、通気部材２の通気状態と通気停止状態とを交互に切り替えることで、通気開始時刻における屋内気温Ｃ１を第１目標温度に調整する。
【００５５】
これにより、本実施形態の通風制御装置１は、空調機器３を稼働させる必要がない季節（第２季節）は、通気部材２の通気状態と通気停止状態とを切り替えるのみで、上記通風制御を行うことができ、消費電力を低減することができる。
【００５６】
また、本実施形態の通風制御装置１は、第１目標温度および第２目標温度を設定する目標温度設定部１７を備えている。本実施形態の目標温度設定部１７は、第１目標温度と第２目標温度との温度幅が、目標温度範囲Ｃ１０よりも小さくなるように、第１目標温度、第２目標温度を設定している（図２，図３参照）。これにより、起床直前に実行される通気モード時において、屋内気温Ｃ１は、目標温度範囲Ｃ１０内のより小さな範囲で変化することとなる。すなわち、起床前の換気時における屋内気温Ｃ１の変化が小さくなり、起床時におけるユーザの快適性を向上させることができる。
【００５７】
また、目標温度設定部１７は、第１目標温度と第２目標温度との温度幅が、目標温度範囲Ｃ１０と一致するように、第１目標温度、第２目標温度を設定するように構成されていてもよい。目標温度設定部１７は、季節判断部１６が第１季節と判断した場合、第１目標温度を目標温度範囲Ｃ１０の下限値（目標下限温度Ｃ１２）に設定し、第２目標温度を目標温度範囲Ｃ１０の上限値（目標上限温度Ｃ１１）に設定する。また、目標温度設定部１７は、季節判断部１６が第２季節と判断した場合、第１目標温度を目標温度範囲Ｃ１０の上限値（目標上限温度Ｃ１１）に設定し、第２目標温度を目標温度範囲Ｃ１０の下限値（目標下限温度Ｃ１２）に設定する。
【００５８】
これにより、起床直前に実行される通気モードの時間（通気時間）がより長くなるので、起床時における二酸化炭素濃度がより低減され、起床時におけるユーザの快適性を向上させることができる。
【００５９】
また、本実施形態では、第１計測部４１は、屋内温度として屋内気温Ｃ１を計測するように構成されているが、屋内気温Ｃ１に加えて屋内湿度も計測し、屋内温度として屋内５１の体感温度を計測するように構成されていてもよい。同様に、第２計測部４２は、屋外温度として外気温Ｃ２を計測するように構成されているが、外気温Ｃ２に加えて屋外湿度も計測し、屋外温度として屋外５２の体感温度を計測するように構成されていてもよい。体感温度は、例えば下記式（１）に示すミスナールの式によってもとめることができる。なお、式（１）において、体感温度をＭ、気温をＴ、相対湿度をＨとする。
【００６０】
【数１】
2016070521.tif 000003
【００６１】
なお、式（１）は、体感温度を求める演算式の一例であり、他の演算式を用いてもよい。また、風速などのパラメータも用いて体感温度を求めてもよい。また、温度情報取得部１１が、第１計測部４１、第２計測部４２それぞれから温度計測結果、湿度計測結果を取得し、屋内５１および屋外５２の体感温度を算出するように構成されていてもよい。
【００６２】
そして、通風制御装置１は、屋内５１および屋外５２の体感温度をパラメータとして、上述した通風制御を行う。このように、体感温度をパラメータに用いることによって、より人体の温度感覚に適した通風制御を行うことができる。
【００６３】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６４】
１  通風制御装置
１１  温度情報取得部
１２  温度調整部
１３  時刻情報取得部
１４  記憶部
１５  時間演算部
１６  季節判断部
１７  目標温度設定部
２  通気部材
３  空調機器
【図１】
2016070521.tif 000004
【図２】
2016070521.tif 000005
【図３】
2016070521.tif 000006
【図４】
2016070521.tif 000007